(57)【要約】【課題】薄型化を図りかつ強度を保つことが可能な折り畳み型携帯端末を提供する。【解決手段】ＬＣＤ４の裏側にはＬＥＤ１０の光をＬＣＤ４の裏側に導き、視認性をあげるために輝度を上げる役割をする導光板５と、ＬＣＤ４の保持、固定の役割を果たし、なおかつＬＣＤ４を破損から防ぐためのＬＣＤフレーム６とが設けられ、基板７が組み込まれている。これら導光板５及びＬＣＤフレーム６は二色成形されて一体化されており、一部品として組み込まれ、ＬＣＤ４からＬＣＤフレーム６の間で薄さを捻出している。【選択図】　　　図２
2004104545.tif 000002
【特許請求の範囲】
【請求項１】
１つ以上のＬＣＤ（Ｌｉｑｕｉｄ　Ｃｒｙｓｔａｌ　Ｄｉｓｐｌａｙ）と、前記ＬＣＤの裏側にＬＥＤ（Ｌｉｇｈｔ　Ｅｍｉｔｔｉｎｇ　Ｄｉｏｄｅ）の光を導いて前記ＬＣＤの輝度を上げるための導光板と、前記ＬＣＤを保持しかつ前記ＬＣＤを破損から防ぐためのＬＣＤフレームとを含む折り畳み型携帯端末であって、前記導光板と前記ＬＣＤフレームとを一体化して一部品として組み込むことを特徴とする折り畳み型携帯端末。
【請求項２】
前記導光板と前記ＬＣＤフレームとを二色成形することで一体化したことを特徴とする請求項１記載の折り畳み型携帯端末。
【請求項３】
前記ＬＣＤは、透過型ＬＣＤと半透過型ＬＣＤとのうちのいずれか一方であることを特徴とする請求項１または請求項２記載の折り畳み型携帯端末。
【請求項４】
筐体正面側に配設されたメインＬＣＤ（Ｌｉｑｕｉｄ　Ｃｒｙｓｔａｌ　Ｄｉｓｐｌａｙ）と、前記メインＬＣＤに対抗する筐体裏面側に配設されたサブＬＣＤと、前記メインＬＣＤの裏側にＬＥＤ（Ｌｉｇｈｔ　Ｅｍｉｔｔｉｎｇ　Ｄｉｏｄｅ）の光を導いて前記メインＬＣＤの輝度を上げるためのメイン用導光板と、前記サブＬＣＤの裏側に前記ＬＥＤの光を導いて前記サブＬＣＤの輝度を上げるためのサブ用導光板と、前記メインＬＣＤ及び前記サブＬＣＤを保持しかつ前記メインＬＣＤ及び前記サブＬＣＤを破損から防ぐためのＬＣＤフレームとを含む折り畳み型携帯端末であって、前記メイン用導光板及び前記サブ用導光板のうちの一方と前記ＬＣＤフレームとを一体化して一部品として組み込むことを特徴とする折り畳み型携帯端末。
【請求項５】
前記メイン用導光板及び前記サブ用導光板のうちの一方と前記ＬＣＤフレームとを二色成形することで一体化したことを特徴とする請求項４記載の折り畳み型携帯端末。
【請求項６】
前記メインＬＣＤは、透過型ＬＣＤと半透過型ＬＣＤとのうちのいずれか一方であることを特徴とする請求項４または請求項５記載の折り畳み型携帯端末。
【発明の詳細な説明】
【０００１】
【発明の属する技術分野】
本発明は折り畳み型携帯端末に関し、特に折り畳み型携帯端末の薄型化に関する。
【０００２】
【従来の技術】
従来、折り畳み型携帯端末では、強度を保ちつつ薄型化することが重要な要素の一つとなっている。すなわち、従来の折り畳み型携帯端末は図６及び図７に示すような構造となっている。
【０００３】
図６において、従来の折り畳み型携帯端末はＬＣＤ（Ｌｉｑｕｉｄ　Ｃｒｙｓｔａｌ　Ｄｉｓｐｌａｙ）４と、導光板５と、ＬＣＤフレーム６と、基板７と、ＬＥＤ　（Ｌｉｇｈｔ　Ｅｍｉｔｔｉｎｇ　Ｄｉｏｄｅ）１０とから構成されている。
【０００４】
また、図７において、従来の折り畳み型携帯端末はメインＬＣＤ４と、導光板５と、ＬＣＤフレーム６と、基板７と、ＬＥＤ１０と、サブの導光板１１と、サブＬＣＤ１２とから構成されている。
【０００５】
従来の折り畳み型携帯端末では、上記の目的のために、通常、ＬＣＤフレーム６の素材を硬いものに変更した上で薄くしたり、または欠いたりするという手法が採用されている。この種の薄型化については各種方法が提案されている（例えば、特許文献１，２参照）。
【０００６】
【特許文献１】
特開２００１−２９６８１６号公報
【特許文献２】
特開２００２−４２５３６号公報
【０００７】
【発明が解決しようとする課題】
しかしながら、上述した従来の折り畳み型携帯端末では、薄くすれば、メインとなるＬＣＤフレームに偏肉部を設けることなっているため、どうしてもＬＣＤフレーム単体の強度が低くなってしまう。
【０００８】
また、従来の折り畳み型携帯端末では、真ん中をくりぬいて、導光板を嵌め込む場合でも、２つの部品の違いから変形に偏りが発生し、逆にＬＣＤの破損を招くことに練りかねないため、強度に関して十分とは言えない。
【０００９】
そこで、本発明の目的は上記の問題点を解消し、薄型化を図ることができかつ強度を保つことができる折り畳み型携帯端末を提供することにある。
【００１０】
【課題を解決するための手段】
本発明による折り畳み型携帯端末は、１つ以上のＬＣＤ（Ｌｉｑｕｉｄ　Ｃｒｙｓｔａｌ　Ｄｉｓｐｌａｙ）と、前記ＬＣＤの裏側にＬＥＤ（Ｌｉｇｈｔ　Ｅｍｉｔｔｉｎｇ　Ｄｉｏｄｅ）の光を導いて前記ＬＣＤの輝度を上げるための導光板と、前記ＬＣＤを保持しかつ前記ＬＣＤを破損から防ぐためのＬＣＤフレームとを含む折り畳み型携帯端末であって、前記導光板と前記ＬＣＤフレームとを一体化して一部品として組み込んでいる。
【００１１】
本発明による他の折り畳み型携帯端末は、筐体正面側に配設されたメインＬＣＤ　（Ｌｉｑｕｉｄ　Ｃｒｙｓｔａｌ　Ｄｉｓｐｌａｙ）と、前記メインＬＣＤに対抗する筐体裏面側に配設されたサブＬＣＤと、前記メインＬＣＤの裏側にＬＥＤ（Ｌｉｇｈｔ　Ｅｍｉｔｔｉｎｇ　Ｄｉｏｄｅ）の光を導いて前記メインＬＣＤの輝度を上げるためのメイン用導光板と、前記サブＬＣＤの裏側に前記ＬＥＤの光を導いて前記サブＬＣＤの輝度を上げるためのサブ用導光板と、前記メインＬＣＤ及び前記サブＬＣＤを保持しかつ前記メインＬＣＤ及び前記サブＬＣＤを破損から防ぐためのＬＣＤフレームとを含む折り畳み型携帯端末であって、前記メイン用導光板及び前記サブ用導光板のうちの一方と前記ＬＣＤフレームとを一体化して一部品として組み込んでいる。
【００１２】
すなわち、本発明の折り畳み型携帯端末は、１つ以上のＬＣＤ（ＬｉｑｕｉｄＣｒｙｓｔａｌ　Ｄｉｓｐｌａｙ）（透過型、半透過型）を備え、導光板によってＬＥＤの光を背面に導くことでＬＣＤの輝度を上げて見やすくする構成において、内部の強度をつかさどる役割のＬＣＤフレームと導光板とを二色成形することで一体化し、一部品として組み込んでいる。
【００１３】
このように、本発明の折り畳み型携帯端末では、ＬＣＤフレームと導光板とを一体化したことによって、ＬＣＤフレームの厚さ分、薄くすることが可能となり、装置全体として薄型化を図り、また部品点数を減らせるという効果が得られる。
【００１４】
【発明の実施の形態】
次に、本発明の実施例について図面を参照して説明する。図１は本発明の一実施例による折り畳み型携帯端末の分解斜視図である。図１においては、折り畳み型携帯端末の液晶画面側を構成する部品を示しており、キー部を含む操作系側の構成については省略している。
【００１５】
本発明の一実施例による折り畳み型携帯端末の液晶画面側はスクリーン１と、防塵クッション２と、正面側ケース３と、ＬＣＤ（Ｌｉｑｕｉｄ　Ｃｒｙｓｔａｌ　Ｄｉｓｐｌａｙ）（透過型、半透過型）４と、導光板５と、ＬＣＤフレーム６と、ＬＥＤ（Ｌｉｇｈｔ　Ｅｍｉｔｔｉｎｇ　Ｄｉｏｄｅ）１０が搭載された基板７と、裏面カバー８と、アンテナ９とを組み立てることで形成されている。
【００１６】
この液晶画面側において、ＬＣＤ４の裏側にはＬＥＤ１０の光をＬＣＤ４の裏側に導き、視認性をあげるために輝度を上げる役割をする導光板５と、ＬＣＤ４の保持、固定の役割を果たし、なおかつＬＣＤ４を破損から防ぐためのＬＣＤフレーム６とが設けられ、基板７が組み込まれている。
【００１７】
本実施例においては、上記の導光板５及びＬＣＤフレーム６を二色成形することで一体化し、一部品として組み込んでおり、ＬＣＤ４からＬＣＤフレーム６の間で薄さを捻出している。ここで、二色成形とは異なる種類の樹脂を一つの金型で同時に成形する方法であり、樹脂成形の分野では公知の技術である。
【００１８】
この構成おいては、導光板５とＬＣＤフレーム６とが一体成形となっているため、図６に示す従来の構成のように、いままで、２階建て構成にしていたＬＣＤフレーム６と導光板５とを１階構造にすることができ、厚みを減少させることができることとなる。従って、折り畳み型携帯端末において薄型化を図ることができるという効果がもたらされる。
【００１９】
図２は本発明の一実施例による折り畳み型携帯端末の液晶画面側の組み立て時の断面を示す図である。図２において、折り畳み型携帯端末の液晶画面側の構造はＬＣＤ４と、導光板５と、ＬＣＤフレーム６と、基板７と、ＬＥＤ１０とから構成されている。図２に示すように、本実施例では導光板５とＬＣＤフレーム６とが二色成形で成形された一部品として提供されており、端末の厚さという点において一部品分だけ薄くすることができる。
【００２０】
これらの部品を二色成形とはせずに、図６に示すように、ＬＣＤフレーム６を切り欠いて導光板５を別部品としてを嵌め込んだ場合、筐体に荷重がかかると、導光板５とＬＣＤフレーム６とには変形に差が生じてしまい、ＬＣＤ４に偏った変形の力がおよんで、ＬＣＤ４の破損につながる可能性がある。
【００２１】
しかしながら、本実施例では、二色成形によって部品（導光板５及びＬＣＤフレーム６）を一体化しているため、端末に荷重がかかった際に、部品の変形に偏りが発生することが少ないという効果が得られる。このため、衝撃が筐体にかかった場合でも、ＬＣＤフレーム６が緩やかな変形をすることで、衝撃をやわらげ、ＬＣＤ４を破損させるに至らせないといった効果も得られる。
【００２２】
本実施例による方法では、一体成形でいままであった二部品（導光板５及びＬＣＤフレーム６）を１つの部品として提供しているため、部品点数削減という点においても利点が得られる。
【００２３】
図３は本発明の他の実施例による折り畳み型携帯端末の分解斜視図であり、図４は本発明の他の実施例による折り畳み型携帯端末の液晶画面側の組み立て時の断面を示す図である。これら図３及び図４において、本発明の他の実施例ではメインＬＣＤ４の反対側にサブＬＣＤ１２を配置した場合について適応したものである。
【００２４】
図３において、本発明の他の実施例による折り畳み型携帯端末の液晶画面側はスクリーン１と、防塵クッション２と、正面側ケース３と、メインＬＣＤ（透過型、半透過型）４と、導光板５と、ＬＣＤフレーム６と、ＬＥＤ１０が搭載された基板７と、裏面カバー８と、アンテナ９と、サブの導光板１１と、サブＬＣＤ１２と、サブのスクリーン１３とを組み立てることで形成されている。
【００２５】
図４において、本発明の他の実施例による折り畳み型携帯端末の液晶画面側の構造はＬＣＤ４と、導光板５と、ＬＣＤフレーム６と、基板７と、ＬＥＤ１０と、サブの導光板１１と、サブＬＣＤ１２とから構成されている。
【００２６】
サブＬＣＤ１２が配置されていても、上述した本発明の一実施例と同様に、メインＬＣＤ４の導光板５をＬＣＤフレーム６と一体成形することによって、強度を保ちつつ、従来の構成よりも薄型化を測ることができるという効果が得られる。
【００２７】
図５は本発明の別の実施例による折り畳み型携帯端末の液晶画面側の組み立て時の断面を示す図である。図５において、本発明の別の実施例による折り畳み型携帯端末は上述した本発明の他の実施例による折り畳み型携帯端末と同様の構成となっている。
【００２８】
上記の本発明の他の実施例による折り畳み型携帯端末では、メインＬＣＤ４の導光板５をＬＣＤフレーム６と一体化しているが、本発明の別の実施例による折り畳み型携帯端末では、背面側に配置されたサブＬＣＤ１２の導光板１１をＬＣＤフレーム６と一体化している。これによって、本実施例では本発明の他の実施例と同様に、強度を保ちつつ、従来の構成よりも薄型化を測ることができるという効果が得られる。
【００２９】
【発明の効果】
以上説明したように本発明は、１つ以上のＬＣＤと、ＬＣＤの裏側にＬＥＤの光を導いてＬＣＤの輝度を上げるための導光板と、ＬＣＤを保持しかつＬＣＤを破損から防ぐためのＬＣＤフレームとを含む折り畳み型携帯端末において、導光板とＬＣＤフレームとを一体化して一部品として組み込むことによって、薄型化を図ることができかつ強度を保つことができるという効果が得られる。
【図面の簡単な説明】
【図１】本発明の一実施例による折り畳み型携帯端末の分解斜視図である。
【図２】本発明の一実施例による折り畳み型携帯端末の液晶画面側の組み立て時の断面を示す図である。
【図３】本発明の他の実施例による折り畳み型携帯端末の分解斜視図である。
【図４】本発明の他の実施例による折り畳み型携帯端末の液晶画面側の組み立て時の断面を示す図である。
【図５】本発明の別の実施例による折り畳み型携帯端末の液晶画面側の組み立て時の断面を示す図である。
【図６】従来例による折り畳み型携帯端末の液晶画面側の組み立て時の断面の一例を示す図である。
【図７】従来例による折り畳み型携帯端末の液晶画面側の組み立て時の断面の他の例を示す図である。
【符号の説明】
１　スクリーン
２　防塵クッション
３　正面側ケース
４　ＬＣＤ
５　導光板
６　ＬＣＤフレーム
７　基板
８　裏面カバー
９　アンテナ
１０　ＬＥＤ
１１　サブの導光板
１２　サブＬＣＤ
１３　サブのスクリーン
【図１】
2004104545.tif 000003
【図２】
2004104545.tif 000004
【図３】
2004104545.tif 000005
【図４】
2004104545.tif 000006
【図５】
2004104545.tif 000007
【図６】
2004104545.tif 000008
【図７】
2004104545.tif 000009